(57)【特許請求の範囲】
【請求項１】
本体部と、前記本体部から繋がって設けられた第１突出片部と、前記本体部から繋がって設けられた第２突出片部とを具備してなる製品であって、
前記本体部は第１体部と第２体部とを具備してなり、
前記第１突出片部は前記第１体部に繋がって設けられると共に、前記第２突出片部は前記第２体部に繋がって設けられてなり、
前記第１体部と前記第２体部とを合体させて本体部を構成した場合、前記第１突出片部と前記第２突出片部との先端部同士が重なるよう構成されると共に、前記第１突出片部と前記第２突出片部と前記本体部とによって左右方向に長手状の孔が構成されてなる
ことを特徴とする製品。
【請求項２】
前記孔が略楕円状である
ことを特徴とする請求項１の製品。
【請求項３】
製品が成形手段で成形されたプラスチック製容器であり、
前記プラスチック製容器における第１突出片部と第２突出片部と本体部とによって構成された左右方向に長手状の孔に軸が配されて該プラスチック製容器が吊り下げられるよう構成されてなる
ことを特徴とする請求項１又は請求項２の製品。
【発明の詳細な説明】
【技術分野】
【０００１】
本発明は、例えば容器に関する。特に、内部に商品を収納し、この商品が収納された容器を吊り下げて陳列する場合に用いられる容器に関する。
【背景技術】
【０００２】
商品の販売に際しての陳列形態が商品を収納した容器を吊り下げた形態である場合は、現実に、しばしば、見受けられる。このような吊下・陳列を達成する手段として、図５に示される如くのフック方式の場合と、図６に示される如くの孔方式の場合とが有る。
【発明の開示】
【発明が解決しようとする課題】
【０００３】
さて、図５の如きのフック方式のものは、軸にフックを引っ掛けるに過ぎないことから、フックが軸から外れることが頻繁に起きる。
【０００４】
ところで、フックが軸から外れた場合、商品（容器）を触っていた顧客自らが掛け直してくれる場合も有るが、そのままに放置の場合の方が多い。従って、商店経営者自らが外れて散乱している商品のフックを掛け直さなければならない。
【０００５】
これに対して、図６の如きの孔方式の場合、軸の先端から抜き取らない限り、商品が軸から抜け落ちる心配は少ない。すなわち、図５の場合に起きる脱落事故が図６の場合には起き難い。
【０００６】
ところが、図６の如きの孔方式の場合、逆に、取り出し難い問題が有る。例えば、一つの軸に色違いの商品、例えば赤色の商品がグループになって３個、青色の商品がグループになって３個、そして白色の商品がグループになって３個、順に、一つの軸に差し込まれて吊下・陳列されている場合、奥の位置に在る青色の商品を抜き取るには、目的とする位置までの商品、例えば白色の商品３個を、先ず、軸から抜き取り、そして青色の商品を１個だけ抜き取り、この後で最初に抜き取った白色の商品３個を刺し直すことになる。従って、この場合には、顧客側の商品取出作業性が非常に悪い。又、奥側に位置する商品を補給する場合も、その作業性が悪い。
【０００７】
尚、各々のグループ毎のものを別の軸に通しておけば、上記問題は無いものの、吊下・陳列用の軸をそれだけ多く用意しておかねばならない。しかしながら、そのような余裕が無い場合も多く、どうしても、混在して吊下・陳列せざるを得ない場合も多い。
【０００８】
従って、本発明が解決しようとする課題は、一番表側の位置に無くても、例えば二番目、三番目、四番目と言った如きの奥側の位置において吊り下げられていても、目的の位置に吊り下げられている商品を取り出し（取り外し）易く、かつ、目的の位置に商品を吊り下げるにも大きな手間を煩わせることが無く、更には吊り下げられている商品が落ち難い吊下機構を提供することである。
【課題を解決するための手段】
【０００９】
前記の課題は、本体部と、前記本体部から繋がって設けられた第１突出片部と、前記本体部から繋がって設けられた第２突出片部とを具備してなる製品であって、
前記第１突出片部と前記第２突出片部と前記本体部とによって構成される孔を具備してなる
ことを特徴とする製品によって解決される。
【００１０】
又、好ましくは、上記の製品であって、
本体部は第１体部と第２体部とを具備してなり、
第１突出片部は前記第１体部に繋がって設けられると共に、第２突出片部は前記第２体部に繋がって設けられてなり、
前記第１体部と前記第２体部とを合体させて本体部を構成した場合、前記第１突出片部と前記第２突出片部と前記本体部とによって構成される孔を具備してなる
ことを特徴とする製品によって解決される。
【００１１】
又、好ましくは、上記の製品であって、
孔が左右方向に長手状の孔である
ことを特徴とする製品によって解決される。
【００１２】
又、好ましくは、上記の製品であって、
第１突出片部と第２突出片部とは、互いの先端部同士が重なるよう構成されてなる
ことを特徴とする製品によって解決される。
【００１３】
又、好ましくは、上記の製品であって、
製品が成形手段で成形されたプラスチック製容器であり、
前記プラスチック製容器における第１突出片部と第２突出片部と本体部とによって構成された孔に軸が配されて該プラスチック製容器が吊り下げられるよう構成されてなる
ことを特徴とする製品によって解決される。
【発明の効果】
【００１４】
第１突出片部と第２突出片部と本体部とによって構成された孔は、フックの如きの開口が無い、即ち、孔内周縁が特にクローズな閉ざされた形態のものであるから、軸に前記孔が通されて吊り下げられている状態にあっては取り外れが起き難い。すなわち、商品を吊下・陳列している場合に、脱落・散乱事故が起き難い。
【００１５】
しかしながら、第１突出片部と第２突出片部との間に捻れの力を作用させた場合、孔には開口（隙間）が形成されるから、挿通している軸からの取り外しが可能になる。従って、一番表側の位置に無くても、例えば二番目、三番目、四番目と言った如きの奥側（内側）の位置において吊り下げられていても、目的の位置に吊り下げられている商品を容易に取り出す（取り外す）ことが出来る。
【００１６】
更には、目的の位置に商品を吊り下げるにも大きな手間を煩わせることが無い。例えば、表から三番目の位置（内側）に吊り下げる場合でも、それまでに吊り下げられている商品（表から一番目および二番目の吊り下げられている商品）を取り外すこと無く、即ち、そのままの状態で、二番目と三番目との間に吊り下げることが出来る。
【発明を実施するための最良の形態】
【００１７】
本発明の製品は、特に、商品を収納した状態にて吊下・陳列の形態で販売される製品である。更には、商品を内部に収納した状態にて吊下・陳列の形態で販売される容器である。この製品（容器）は、例えば真空成形などの成形手段で成形された樹脂製のものである。本製品は、本体部（容器本体部と蓋体部）と、前記本体部から繋がって設けられた第１突出片部と、前記本体部から繋がって設けられた第２突出片部とを備えている。そして、第１突出片部と第２突出片部と本体部とによって構成される孔を具備する。言い換えれば、孔が構成されるように第１突出片部と第２突出片部とを本体部に対して設ける。例えば、本体部は第１体部（例えば、容器本体部）と第２体部（例えば、蓋体部）とを具備し、第１突出片部は第１体部（例えば、容器本体部）に繋がって設けられると共に、第２突出片部は第２体部（例えば、蓋体部）に繋がって設けられてなり、第１体部と第２体部とを合体させて本体部を構成した場合、第１突出片部と第２突出片部と本体部とによって構成される孔を具備する（孔が構成されるように第１突出片部と第２突出片部とを本体部に対して設ける）。特に好ましくは、第１突出片部と第２突出片部との先端部同士が重なるように第１突出片部や第２突出片部を構成している。孔は、好ましくは、左右方向（吊下方向（鉛直方向）に対して直交する方向：水平方向）に長手状の孔である。そして、この孔に軸を通すことによって、製品（容器）が吊り下げられる。
【００１８】
以下、更に、詳しく説明する。
図１〜図４は本発明の一実施形態を説明する為のものであって、図１は本発明になる製品（容器）の展開状態での正面図、図２は本発明になる製品（容器）の正面図、図３は本発明になる製品（容器）の側面図、図４は取外状態（吊下状態からの抜取状態）での説明図である。
【００１９】
各図中、Ａは、例えばポリプロピレン等のオレフィン系樹脂を用いて真空成形によって成形された容器である。この容器は、その外形が図１から判る通り、容器外形（周縁）に沿って打ち抜かれた場合、例えば孔を打ち抜いた場合の如きの破片が生じない。例えば、図６の如きの孔が形成されるものでは無いから、打ち抜かれた破片の捕集に注意する必要が無い。例えば、打ち抜きによって構成された孔を有する容器を製造後、同じ真空成形機を用いて食品収納用の容器を成形しようとした場合、前記打ち抜かれた箇所の破片が混入しないようにとの注意が必要である。これは、現実には、結構、大変なことである。しかしながら、図６の如きの打抜き孔が図１の容器には無いから、図１タイプの容器を製造後に、食品収納用の容器を成形しようとした場合、問題が少なく、その製造が非常に容易になる。
【００２０】
本発明の製品、即ち、容器Ａは、容器Ａからの突出片がペラペラなものでは無く、それなりに、機械的強度を持ち、ハードなものであるよう構成されている。これは、厚さ（肉厚）、樹脂素材、或いはリブ構造などの構造面を考慮することで達成される。
【００２１】
１は、販売しようとする商品が収納される空間を持つ容器本体部である。２は、容器本体部１に対する蓋体部である。そして、容器本体部１に商品を収納後、蓋体部２が閉蓋され、図２，３に示されるものが得られる。尚、容器本体部１と蓋体部２とは、境界部に設けられたヒンジ部３を介して繋がっている。尚、このような構造は、従来からも周知であるから、詳細な説明は省略される。
【００２２】
４は、容器本体部１の上端左側（図１中、上端左側）から略楕円弧状（略半島状）に延在した第１突出片部である。５は、蓋体部２の上端左側（図１中、上端左側）から略楕円弧状（略半島状）に延在した第２突出片部である。そして、図２に示される如く、蓋体部２を容器本体部１に対して閉蓋した場合、第２突出片部５の先端部が第１突出片部４の先端部に重なるように第１突出片部４と第２突出片部５とは構成されている。特に、蓋体部２を容器本体部１に対して閉蓋した場合、容器本体部１（蓋体部２）と第１突出片部４と第２突出片部５とで完全に囲まれる孔６が構成されるように第１突出片部４と第２突出片部５とは構成されている。更には、孔６が、図２中、左右方向に長手、例えば略楕円状の孔の如きのものとなるよう第１突出片部４と第２突出片部５とは構成されている。尚、第１突出片部４の基部側（容器本体部１に近い側）や第２突出片部５の基部側（蓋体部２に近い側）は、図１，２からも判る通り、先端側よりも幅広なものである。これは、第１突出片部４や第２突出片部５の機械的強度を高める為である。又、蓋体部２を容器本体部１に対して閉蓋した場合、孔６に開口が出来難いものとなるよう、第１突出片部４と第２突出片部５とが互いに圧接するものとなるよう構成させている。すなわち、蓋体部２を容器本体部１に対して閉蓋した場合、第１突出片部４は蓋体部２の面側に傾くよう、又、第２突出片部５は容器本体部１の面側に傾くように構成させており、第１突出片部４や第２突出片部５が持つ弾撥性機能によって、第１突出片部４と第２突出片部５とが互いに圧接するものとなるよう構成させている。又、第１突出片部４や第２突出片部５は、恰も、勾玉の断面形状の如きの略楕円弧（円弧）形状のものとしているが、これは、軸から取り外す場合や軸に配する場合の作業をスムーズなものとする為である。
【００２３】
上記のように構成させた本発明になる製品（容器）は、例えば吊下・陳列状態では、図２に示される如く、孔６に軸１０が通された状態である。そして、図２からも判る通り、孔６にはフックの場合の如きの開口が無く、孔６の周縁は完全に閉ざされたクローズなものであるから、軸１０に掛止させて吊り下げている商品が脱落する事故は非常に少ない。理論的には、図６の場合と同様、脱落事故は非常に少ない。
【００２４】
さて、図６の場合には、奥側の位置に吊り下げられているものを取り出すのが非常に厄介であった。又、奥側の位置に吊り下げるのも非常に厄介であった。これが、図６タイプの場合の最大の欠点である。
【００２５】
しかしながら、本発明の吊下機構を備えていると、図４に示される如く、軸１０に対して第１突出片部４を捻るように傾けて遣れば、第１突出片部４と第２突出片部５との間に隙間７が出来る。従って、この隙間７を用いれば、吊り下げている商品を軸１０から取り外すことが出来る。逆に、吊り下げようとする場合には、第１突出片部４と第２突出片部５との間に隙間７が出来るように、即ち、第２突出片部５を傾けて割り込ませるようにすれば、軸１０に吊り下げることが出来る。従って、図６の如きの孔方式の最大の欠点が解決される。
【００２６】
尚、上記実施形態において、孔６を左右方向において長手のものとしたのは、上記傾量を大きくしなければ、隙間７が出来難いものとする為である。孔６の左右方向の寸法が非常に短いと、一寸傾けるのみで、軸１０によって隙間７が出来る。そうすると、吊下・陳列状態における商品の選定に際して、現実には、商品が前後方向に対して傾けられる場合が多い。このような時に、孔６が円形であるとすると、一寸したことで商品が脱落し易い。そこで、左右方向において長手の孔としておくことによって、傾角度を大きくしなければ、隙間７が出来難いから、吊り下げられている商品の脱落が起き難いものとなる。
【図面の簡単な説明】
【００２７】
【図１】本発明になる製品（容器）の展開状態での正面図
【図２】本発明になる製品（容器）の正面図
【図３】本発明になる製品（容器）の側面図
【図４】本発明になる製品（容器）の取外状態での説明図
【図５】従来の吊下機構を示す説明図
【図６】従来の吊下機構を示す説明図
【符号の説明】
【００２８】
Ａ            容器（製品）
１            容器本体部
２            蓋体部
４            第１突出片部
５            第２突出片部
６            孔
７            隙間
１０          軸  
代  理  人  宇  高  克  己
【図１】
0005152787.tif 000002
【図２】
0005152787.tif 000003
【図３】
0005152787.tif 000004
【図４】
0005152787.tif 000005
【図５】
0005152787.tif 000006
【図６】
0005152787.tif 000007